(57)【要約】【課題】  騒音を排除するためにマイクロホンと記録装置とを別室に隔離する必要がなく、記録装置内部の不適切な温度上昇を招くことなく、専用の駆動回路を必要とせず、不安定な低回転を維持する必要がなく、安定した放熱動作を実現する記録装置を提供する。【解決手段】  少なくとも音声信号を記録する記録装置であって、ファンを回転させて放熱を行う放熱手段１７０，１８０と、各部を制御する制御手段１０１とを備え、前記制御手段１０１は、音声信号を記録中には、該ファンに対して電力供給による駆動回転と電力非供給による惰性回転とを交互に繰り返し、前記ファンの回転が停止しない状態を保たせるよう前記放熱手段１７０，１８０を制御する、ことを特徴とする。【選択図】  図１
2006252629.tif 000002
【特許請求の範囲】
【請求項１】
少なくとも音声信号を記録する記録装置であって、
ファンを回転させて放熱を行う放熱手段と、
各部を制御する制御手段とを備え、
前記制御手段は、音声信号を記録中には、該ファンに対して電力供給による駆動回転と電力非供給による惰性回転とを交互に繰り返し、前記ファンの回転が停止しない状態を保たせるよう前記放熱手段を制御する、
ことを特徴とする記録装置。
【請求項２】
前記制御手段は、音声信号を記録中には、記録装置内部の温度が予め定められた所定の値以下になる範囲内で、前記ファンの回転が停止しない状態を保ちつつ、かつ、該ファンの平均回転数が低下するように電力供給による駆動回転と電力非供給による惰性回転とを交互に繰り返し、該ファンを間欠的に駆動させるよう前記放熱手段を制御する、
ことを特徴とする請求項１記載の記録装置。
【請求項３】
前記制御手段は、音声信号を記録中には、記録装置内部の温度が予め定められた所定の値以下になる範囲内で、前記ファンの回転が停止しない状態を保ちつつ、かつ、該ファンの平均回転数が低下するように電力供給による駆動回転と電力非供給による惰性回転とを交互に繰り返す際に、電力供給時に該ファンが最高回転数に達する前に電力非供給に切り換えて、該ファンを間欠的に駆動させるよう前記放熱手段を制御する、
ことを特徴とする請求項１記載の記録装置。
【発明の詳細な説明】
【技術分野】
【０００１】
本発明は音声信号を記録する記録装置に関し、特に、放熱用のファンを有する音声信号の記録装置に関する。
【背景技術】
【０００２】
音声信号を記録する記録装置として、入力される音声信号をＡ−Ｄ変換し、光ディスクなどに記録するものが存在している。この種の光ディスクでは、レーザ光の熱で状態変化を起こす材料が記録層に含まれており、読み出し時より強いレーザ光を照射することで状態変化を起こさせ、反射率を変化させてデータを記録する。このため、記録装置内部で熱が発生しているため、放熱が必要になる。
【０００３】
また、記録装置に内蔵されている電源回路や信号処理回路などからも熱が発生しており、装置内部の温度上昇による寿命低下や誤動作発生を防止するためにも、機器内部で発生する熱を放出するための放熱が必要になる。
【０００４】
ここで、音声信号をディジタルデータとして高音質で記録する記録装置、例えば、ＤＶＤマルチトラックレコーダーなどでは、光ディスクの記録時に発生する熱や、マルチトラックの信号処理回路やアンプから発生する熱が存在しているため、放熱用のファンが必要となっており、電源オン時には常時放熱を行うことが望ましい。
【０００５】
また、近年、記録装置が小型化してきており、ファンも小型化する必要が生じてきており、さらに、小型のファンでは必要な風量を得るために高速に駆動する必要が生じてきている。この場合、大型のファンを低速で駆動する場合にくらべ、小型のファンを高速に駆動すると、騒音が大きくなる傾向にある。
【０００６】
ところで、記録装置とマイクロホンとを同じ室内に設置して、録音を行うことがある。この場合、記録装置の放熱用のファンから発生する音、すなわち、ファンモータの回転音やファンの風切音などが騒音としてマイクロホンから録音されると、Ｓ／Ｎやダイナミックレンジが悪化し、高音質な記録が望めなくなる。
【０００７】
そのためには、（ａ）記録装置とマイクロホンとを別な隔離された部屋に設置する、（ｂ）録音中は放熱用のファンの回転を停止させる、（ｃ）録音中には放熱用のファンの回転数を下げるように制御し、マイクロホンに入らないようにする、などの手法が考えられる。
【０００８】
なお、上記（ｃ）の電子機器装置の放熱用のファンの回転数制御に関しては、たとえば、以下の特許文献１に記載されている。また、同様なものとして、記録装置においてモータの回転数を制御して騒音を低下させる技術が、以下の特許文献２に記載されている。
【特許文献１】特許公開２００１−４２９５２号公報（第１頁、図１）
【特許文献２】特開２００３−２４９００３号公報（第１頁、図１）
【発明の開示】
【発明が解決しようとする課題】
【０００９】
以上の（ａ）、（ｂ）、（ｃ）の手法を用いた記録装置で、放熱用のファンからの騒音が記録されないようにすると、以下の（Ａ）、（Ｂ）、（Ｃ）に述べるような問題がそれぞれ発生する。
【００１０】
（Ａ）収音する部屋とは別に、記録装置を設置する部屋が必要になる。また、収音する部屋と録音する部屋との間を接続するための長いマイクケーブルが必要になる。さらに、収音する部屋で記録装置を操作するために専用にオペレータが必要になる。
【００１１】
（Ｂ）放熱用のファンの停止により、記録中に記録装置内部の温度が上昇することになり、各部の寿命低下や誤動作発生の可能性が高くなる。また、光ディスクへの正常な記録が保証されない状態にもなりうる。
【００１２】
（Ｃ）放熱用のファンを回転させるモータは、通常はＤＣブラシレスモータであり、供給電圧を低下させることで回転数を下げることが可能である。この場合、騒音を発生しない回転数まで低下させるには、広範囲に供給電圧を変化させる必要があり、通常の駆動回路とは別の、専用の可変電圧駆動回路が必要になる。また、モータの特性によっては、低電圧時に低回転で安定した回転状態が得られず、停止しやすくなり、信頼性が低下することになる。
【００１３】
本発明は、以上のような課題を解決するためになされたものであって、騒音を排除するためにマイクロホンと記録装置とを別室に隔離する必要がなく、記録装置内部の不適切な温度上昇を招くことなく、専用の駆動回路を必要とせず、不安定な低回転を維持する必要がなく、安定した放熱動作を実現できる記録装置を提供することを目的とする。
【課題を解決するための手段】
【００１４】
以上の課題を解決する本発明は、以下に記載するようなものである。
（１）請求項１記載の発明は、少なくとも音声信号を記録する記録装置であって、ファンを回転させて放熱を行う放熱手段と、各部を制御する制御手段とを備え、前記制御手段は、音声信号を記録中には、該ファンに対して電力供給による駆動回転と電力非供給による惰性回転とを交互に繰り返し、前記ファンの回転が停止しない状態を保たせるよう前記放熱手段を制御する、ことを特徴とする。
【００１５】
（２）請求項２記載の発明は、上記（１）において、前記制御手段は、音声信号を記録中には、記録装置内部の温度が予め定められた所定の値以下になる範囲内で、前記ファンの回転が停止しない状態を保ちつつ、かつ、該ファンの平均回転数が低下するように電力供給による駆動回転と電力非供給による惰性回転とを交互に繰り返し、該ファンを間欠的に駆動させるよう前記放熱手段を制御する、ことを特徴とする。
【００１６】
（３）請求項３記載の発明は、上記（１）において、前記制御手段は、音声信号を記録中には、記録装置内部の温度が予め定められた所定の値以下になる範囲内で、前記ファンの回転が停止しない状態を保ちつつ、かつ、該ファンの平均回転数が低下するように電力供給による駆動回転と電力非供給による惰性回転とを交互に繰り返す際に、電力供給時に該ファンが最高回転数に達する前に電力非供給に切り換えて、該ファンを間欠的に駆動させるよう前記放熱手段を制御する、ことを特徴とする。
【発明の効果】
【００１７】
本発明によれば、以下のような効果が得られる。
（１）請求項１記載の記録装置の発明では、ファンを回転させて放熱を行う放熱手段と、各部を制御する制御手段とを備えた記録装置で少なくとも音声信号を記録する際に、制御手段は、音声信号を記録中に、該ファンに対して電力供給による駆動回転と電力非供給による惰性回転とを交互に繰り返し、ファンの回転が停止しない状態を保たせるよう前記放熱手段を制御する。
【００１８】
これにより、音声信号を記録中には、ファンに対する電力供給による駆動回転と、ファンに対する電力非供給による惰性回転とが交互に繰り返されることになり、ファンの回転が停止しない状態を保たれる。
【００１９】
この結果、ファンの平均回転数が低下することにより騒音も低下し、騒音を排除するためにマイクロホンと記録装置とを別室に隔離する必要がなくなる。
また、ファンの回転は続いているため、記録装置内部の不適切な温度上昇を招くことがない。なお、ファンの一時的な回転停止も発生しないため、回転起動時の駆動音や突入電流の問題も発生しない。
【００２０】
そして、電力供給／電力非供給を繰り返すだけであるので、広範囲に電圧を可変制御するための専用の駆動回路を必要とせず、さらに、不安定な低回転状態を維持する必要がなくなり、安定した放熱動作を実現できる。
【００２１】
（２）請求項２記載の発明では、上記（１）において、制御手段は、音声信号を記録中には、記録装置内部の温度が予め定められた所定の値以下になる範囲内で、該ファンの回転が停止しない状態を保ちつつ、かつ、該ファンの平均回転数が低下するように電力供給による駆動回転と電力非供給による惰性回転とを交互に繰り返し、該ファンを間欠的に駆動させるよう放熱手段を制御している。
【００２２】
これにより、音声信号を記録中には、記録装置内部の温度が予め定められた所定の値以下になる範囲内で、ファンの回転が停止しない状態を保ちつつ、ファンに対する電力供給による駆動回転と、ファンに対する電力非供給による惰性回転とが交互に繰り返される。
【００２３】
この結果、上記（１）の効果に加え、記録装置内部の温度が予め定められた所定の値以下になるようにファンの断続駆動による回転が続いているため、記録装置内部の温度上昇は予め定められた適切な範囲に保たれるようになる。従って、各部の寿命低下や誤動作発生の心配はなくなり、光ディスクへの正常な記録も保証される。
【００２４】
（３）請求項３記載の発明では、上記（１）において、制御手段は、音声信号を記録中には、記録装置内部の温度が予め定められた所定の値以下になる範囲内で、ファンの回転が停止しない状態を保ちつつ、かつ、該ファンの平均回転数が低下するように電力供給による駆動回転と電力非供給による惰性回転とを交互に繰り返す際に、電力供給時に該ファンが最高回転数に達する前に電力非供給に切り換えて、該ファンを間欠的に駆動させるよう放熱手段を制御している。
【００２５】
これにより、音声信号を記録中には、記録装置内部の温度が予め定められた所定の値以下になる範囲内で、ファンの回転が停止しない状態を保ちつつ、ファンに対する電力供給による駆動回転と、ファンに対する電力非供給による惰性回転とが交互に繰り返されており、さらに、電力供給時に該ファンが最高回転数に達する前に電力非供給に切り換えるように、該ファンの間欠駆動がなされる。
【００２６】
この結果、上記（１）の効果に加え、電力供給と電力非供給との切り換えによるファンの間欠駆動の際に、電力供給時にファンが最高回転数に達することがなくなり、ファンの電力供給時の騒音も一層低下するため、騒音を排除するためにマイクロホンと記録装置とを別室に隔離する必要がなくなる。
【発明を実施するための最良の形態】
【００２７】
以下、図面を参照して本発明を実施するための最良の形態（以下、実施形態）を詳細に説明する。
〈第一の実施形態〉
この第一の実施形態では、記録装置１００について、入力信号をディジタルデータとして記録すると共に、記録されたディジタルデータを出力信号として再生することが可能な、ＤＶＤマルチトラックレコーダーなどの記録再生装置に適用した場合の具体例について説明する。
【００２８】
この図１の記録装置１００において、１０１は各部を制御する制御手段としてＣＰＵや各種プロセッサや各種コントローラ等で構成された制御部である。１０３は操作者により各種操作入力がなされる操作部、１０５は記録装置１００の各種状態の表示を行う表示部である。なお、操作部１０３と表示部１０５とは、操作表示部として一体に構成されていてもよい。
【００２９】
なお、図示されていないが、外部のリモートコントローラやコンピュータ、あるいは、ネットワークを介したコンピュータなどからの操作の入力を受け付ける接続端子を備えていて、これらの各種外部機器から操作がなされる場合もありうる。
【００３０】
１１０は記録装置１００の各部に対して所定の電圧の電源供給を行う電源部である。この電源部１１０は、後述するファンに対しては、制御部１０１によって制御されるスイッチング部を介して電源供給を行う。
【００３１】
１２０は記録すべき信号（入力信号）が外部から入力される入力用のインタフェースである。なお、このインタフェース１２０はアナログ信号が入力されるだけではなく、ディジタル信号が入力される場合もありうる。
【００３２】
１３０は記録指示に応じて入力信号を後述する記録媒体に記録すると共に、記録媒体に記録されたディジタルデータを再生指示に応じて再生して出力信号として出力する記録再生回路部であり、Ａ−Ｄ変換器、信号処理回路、Ｄ−Ａ変換器などを有して構成されている。
【００３３】
１４０は記録再生回路部１３０で信号処理されたディジタルデータを記録指示に基づいて記録する共に、記録されたディジタルデータを再生指示に基づいて再生出力する記録媒体である。なお、この実施形態で記録媒体１４０は、メディアを駆動するためのドライブ装置を含んだ状態であるとして扱うことにする。
【００３４】
１５０は再生すべき信号（出力信号）が外部に対して出力される出力用のインタフェースである。なお、このインタフェース１５０はアナログ信号が出力されるだけではなく、ディジタル信号が出力される場合もありうる。
【００３５】
１６０は電源部１１０からのファン用の所定の電圧の電源を制御部１０１の指示に基づいて実行するスイッチング部である。このスイッチング部１６０は、記録装置１００が入力信号を記録中には、該ファンに対して電力供給（オン）と電力非供給（オフ）とを交互に繰り返す。
【００３６】
１７０はファンを回転させるためにＤＣモータなどで構成されたファンモータであり、スイッチング部１６０経由の電源供給に応じてファンの駆動を行う。１８０はファンモータ１７０によって回転駆動されるファンである。
【００３７】
ここで、ファンモータ１７０とファン１８０とが、記録装置１００内部で発生する熱を外部に放出する冷却手段あるいは放熱手段を構成している。たとえば、ＤＶＤマルチトラックレコーダなどの記録装置１００の場合、光ディスクの記録時に発生する熱や、マルチトラックの信号処理回路やアンプから発生する熱が存在しているため、これらの熱を放熱用のファン１８０によって外部に放出するようにしている。
【００３８】
なお、以上の構成において、制御部１０１とスイッチング部１６０とは、ファンモータ１７０によるファン１８０の回転駆動に関して、以下の（１）〜（３）のいずれかの制御を行う。
【００３９】
なお、この明細書において、ファンモータ１７０に対する電力供給によるファンモータ１７０またはファン１８０の回転を、「駆動回転」と呼ぶ。また、ファンモータ１７０に対する電力非供給によるファンモータ１７０またはファン１８０の回転を、「惰性回転」と呼ぶ。
【００４０】
（１）記録装置１００で少なくとも音声を入力信号として記録する際に、入力信号を記録中に、ファン１８０に対して電力供給による駆動回転と電力非供給による惰性回転とを交互に繰り返し、ファン１８０の回転が停止しない状態を保たせるよう制御する。
【００４１】
（２）入力信号を記録中には、記録装置１００内部の温度が予め定められた所定の値以下になる範囲内で、ファン１８０の回転が停止しない状態を保ちつつ、かつ、ファン１８０の平均回転数が低下するように電力供給による駆動回転と電力非供給による惰性回転とを交互に繰り返し、ファン１８０を間欠的に駆動させるよう制御する。
【００４２】
（３）入力信号を記録中には、記録装置１００内部の温度が予め定められた所定の値以下になる範囲内で、ファン１８０の回転が停止しない状態を保ちつつ、かつ、該ファン１８０の平均回転数が低下するように電力供給による駆動回転と電力非供給による惰性回転とを交互に繰り返す際に、電力供給時に該ファン１８０が最高回転数に達する前に電力非供給に切り換えて、該ファン１８０を間欠的に駆動させるように制御する。
【００４３】
以下、この実施形態の記録装置１００の動作について、図２のフローチャートと、図３以降のタイミングチャートとを参照して説明を行う。
なお、ここでは、記録装置１００とマイクロホンとを同じ室内に設置して、録音を行う場合を想定する。そして、記録装置１００の放熱用のファン１８０から発生する音、すなわち、ファンモータ１７０の回転音やファン１８０の風切音などは、記録装置１００とマイクロホンとをできるだけ離したとしても、騒音として僅かながらマイクロホンから録音されうる状況を想定する。
【００４４】
記録装置１００の操作者が操作部１０３の電源スイッチを操作し、記録装置１００を電源オンしたとする（図２Ｓ１、図３（ａ）オン）。これにより、制御部１０１は各部を初期化する（図２Ｓ２）。
【００４５】
そして、制御部１０１は、スイッチング部１６０を常時オン状態にし（図３（ｃ）（ア））、ファンモータ１７０によってファン１８０を回転させる（図２Ｓ３、図３（ｄ）（イ））。この状態ではファンモータ１７０の回転は短時間に最高回転数に達する（図３（ｄ）（イ））。
【００４６】
ここで、制御部１０１は、操作部１０３の各種スイッチあるいは図示されない外部コントローラからの操作入力を受け付ける（図２Ｓ４）。
なお、このようなファン１８０の最高回転数の回転駆動は、操作部１０３に何の操作もなされない待機状態（図２Ｓ４でなし（待機））の場合になされる。
【００４７】
この待機時の場合、記録装置１００近傍（１０ｃｍ程度）でのファン音は図３（ｅ）（ウ）のように大きめであり、記録装置１００から離れた位置（５ｍ程度）でもファン音は図３（ｆ）（エ）のようにマイクロホンで検知可能なレベルになっている。
【００４８】
ここで、操作部１０３から再生の操作がなされると（図２Ｓ４で再生）、制御部１０１は、記録再生回路部１３０に指示を与え、記録媒体１４０に記録されているデータを読み出させ、必要に応じて所望の形式の信号に変換し、インタフェース１５０を介して外部に出力信号として出力させる（図２Ｓ５、Ｓ６）。
【００４９】
なお、上述した待機状態の場合と同様に、操作部１０３に再生の操作がなされた再生動作時（図２Ｓ４で再生、Ｓ５、Ｓ６）にも、ファン１８０の最高回転数の回転駆動がなされる（図３（ｃ）（ア）、（ｄ）（イ））。
【００５０】
そして、この再生時の場合、上述した待機状態の場合と同様に、記録装置１００近傍（１０ｃｍ程度）でのファン音は図３（ｅ）（ウ）のように大きめであり、記録装置１００から離れた位置（５ｍ程度）でもファン音は図３（ｆ）（エ）のようにマイクロホンで検知可能なレベルになっている。
【００５１】
ここで、操作部１０３から記録の操作がなされると（図２Ｓ４で記録、図３（ａ）ＲＥＣ）、制御部１０１は、スイッチング部１６０を間欠的にオン状態にし（図２Ｓ７、図３（ｃ）（カ））、ファンモータ１７０によってファン１８０を停止させずに回転させる（図３（ｄ）（キ））。
【００５２】
ここでは、ファンモータ１７０に対して電力供給による駆動回転と電力非供給による惰性回転とを交互に繰り返し、ファン１８０の回転が停止しない状態を保たせるように制御する。
【００５３】
これにより、入力信号を記録中には、ファンモータ１７０に対する電力供給による駆動回転と、ファンモータ１７０に対する電力非供給による惰性回転とが交互に繰り返されることになり、ファン１８０の回転が停止しない状態を保たれる。
【００５４】
この状態ではファンモータ１７０の回転は、最高回転数に達しない状態での上昇と、停止しない状態での下降とを繰り返している（図３（ｄ）（キ））。
そして、制御部１０１は、記録再生回路部１３０に指示を与え、インタフェース１５０を介して入力される入力信号を、所定の信号処理を施し、所定の形式のディジタルデータに変換し、記録媒体１４０に記録する（図２Ｓ８）。
【００５５】
このようなファン１８０の回転制御を伴う記録動作をさせる結果、ファン１８０の平均回転数が低下することにより騒音も低下し、記録装置１００近傍の位置（１０ｃｍ程度）でファン音は図３（ｅ）（ク）のようにマイクロホンで検知可能なレベルにあるものの、記録装置１００から離れた位置（５ｍ程度）でファン音は図３（ｆ）（ケ）のように通常の録音ボリュームでのマイクロホンでは検知不可能なレベルになっている。
【００５６】
このため、ファン１８０からの騒音を排除するためにマイクロホンと記録装置１００とを別室に隔離する必要がなくなる。
また、ファン１８０の回転は続いているため、記録装置１００内部の不適切な温度上昇を招くことがない。なお、ファン１８０の一時的な回転停止も発生しないため、回転起動時の駆動音や突入電流の問題も発生しない。
【００５７】
そして、ファンモータ１７０に対して電力供給／電力非供給を繰り返すだけであるので、広範囲に電圧を可変制御するための専用の駆動回路を必要とせず、さらに、不安定な低回転状態を維持する必要がなくなり、安定した放熱動作を実現できる。
【００５８】
なお、制御部１０１は、入力信号を記録中には、記録装置１００内部の温度が予め定められた所定の値以下になる範囲内で、ファン１８０の回転が停止しない状態を保ちつつ、かつ、ファン１８０の平均回転数が低下するように電力供給による駆動回転と電力非供給による惰性回転とを交互に繰り返し、該ファンを間欠的に駆動させるよう制御することが望ましい。
【００５９】
なお、記録装置１００内部の温度が予め定められた所定の値以下になる範囲内とは、待機時あるいは再生時の温度＋５℃〜＋１０℃程度で安定した状態になるよう選択することが望ましい。
【００６０】
この結果、記録装置１００内部の温度が予め定められた所定の値以下になるようにファン１８０の断続駆動による回転が続いているため、記録装置１００内部の温度上昇は予め定められた適切な範囲に保たれるようになる。従って、各部の寿命低下や誤動作発生の心配はなくなり、光ディスクへの正常な記録も保証される。
【００６１】
また、制御部１０１は、入力信号を記録中には、記録装置１００内部の温度が予め定められた所定の値以下になる範囲内で、ファン１８０の回転が停止しない状態を保ちつつ、かつ、該ファン１８０の平均回転数が低下するように電力供給による駆動回転と電力非供給による惰性回転とを交互に繰り返す際に、電力供給時に該ファン１８０が最高回転数に達する前に電力非供給に切り換えて、該ファン１８０を間欠的に駆動させるよう制御することも望ましい。
【００６２】
この結果、電力供給と電力非供給との切り換えによるファン１８０の間欠駆動の際に、電力供給時にファン１８０が最高回転数に達することがなくなり、ファン１８０の電力供給時の騒音も一層低下するため、騒音を排除するためにマイクロホンと記録装置１００とを別室に隔離する必要がなくなる。
【００６３】
ここで、操作部１０３から記録の停止の操作がなされると（図２Ｓ９でＹ）、制御部１０１は、スイッチング部１６０を常時オン状態にし（図３（ｃ）（サ））、ファンモータ１７０によってファン１８０を回転させる（図２Ｓ３、図３（ｄ）（シ））。この状態ではファンモータ１７０の回転は短時間に最高回転数に達する（図３（ｄ）（シ））。
【００６４】
なお、この時点では、操作部１０３からの操作に応じて、再生あるいは待機状態となり、操作部１０３から電源オフの操作がなされると（図２Ｓ１０でＹ、図３（ａ）オフ）、制御部１０１は、各部への電源供給を遮断し、各部の動作を停止させる。
【００６５】
なお、以上の実施形態の説明では、スイッチング部１６０は、制御部１０１の指示に基づく単純なスイッチングであった。これ以外に、多少の電圧制御が可能な場合もあり得る。
【００６６】
ここで、多少の電圧制御とは、電圧制御のみでファンモータ１７０の回転を低下させて記録時の騒音を十分なレベルまで電圧を低下させることはできないが、ファンモータ１７０が安定した状態を保ちつつ回転を低下させる電圧降下制御を意味する。
【００６７】
たとえば、定格１２Ｖのファンモータ１７０の場合、電圧を６Ｖまで下げて連続駆動すれば騒音が十分低下するものの、１２Ｖ〜６Ｖの広範囲な電圧制御が必要になり、６Ｖでは安定した回転が得られない場合に、１０Ｖ程度の電圧をファンモータ１７０に間欠的に供給する制御を意味している。
【００６８】
このような場合、制御部１０１は、記録時にはスイッチング部１６０の電圧降下制御と間欠オン駆動とを組み合わせ（図４（ｃ）（カ））、ファンモータ１７０によってファン１８０を停止させずに回転させる（図４（ｄ）（キ））。
【００６９】
ここでは、ファンモータ１７０に対して低減電圧電力供給による減速回転と電力非供給による惰性回転とを交互に繰り返し、ファン１８０の回転が停止しない状態を保たせるように制御する。
【００７０】
これにより、入力信号を記録中には、ファンモータ１７０に対する低減電力供給による減速回転と、ファンモータ１７０に対する電力非供給による惰性回転とが交互に繰り返されることになり、ファン１８０の回転が停止しない状態を保たれる。
【００７１】
この状態ではファンモータ１７０の回転は、最高回転数に達しない状態での上昇と、停止しない状態での下降とを繰り返している（図４（ｄ）（キ））。
このようなファン１８０の回転制御を伴う記録動作をさせる結果、ファン１８０の平均回転数が低下することにより騒音も低下し、記録装置１００近傍の位置（１０ｃｍ程度）でファン音は図４（ｅ）（ク）のようにマイクロホンで検知可能なレベルにあるものの、記録装置１００から離れた位置（５ｍ程度）でファン音は図４（ｆ）（ケ）のように通常の録音ボリュームでのマイクロホンでは検知不可能なレベルになっている。
【００７２】
このため、ファン１８０からの騒音を排除するためにマイクロホンと記録装置１００とを別室に隔離する必要がなくなる。
また、ファン１８０の回転は続いているため、記録装置１００内部の不適切な温度上昇を招くことがない。なお、ファン１８０の一時的な回転停止も発生しないため、回転起動時の駆動音や突入電流の問題も発生しない。
【００７３】
そして、ファンモータ１７０に対して、低減電力供給／電力非供給を繰り返すだけであるので、広範囲に電圧を可変制御するための専用の駆動回路を必要とせず、さらに、不安定な低回転状態を維持する必要がなくなり、安定した放熱動作を実現できる。
【００７４】
なお、制御部１０１は、入力信号を記録中には、記録装置１００内部の温度が予め定められた所定の値以下になる範囲内で、ファン１８０の回転が停止しない状態を保ちつつ、かつ、ファン１８０の平均回転数が低下するように低減電力供給による減速回転と電力非供給による惰性回転とを交互に繰り返し、該ファンを間欠的に駆動させるよう制御することが望ましい。
【００７５】
この結果、記録装置１００内部の温度が予め定められた所定の値以下になるようにファン１８０の断続駆動による回転が続いているため、記録装置１００内部の温度上昇は予め定められた適切な範囲に保たれるようになる。従って、各部の寿命低下や誤動作発生の心配はなくなり、光ディスクへの正常な記録も保証される。
【００７６】
〈他の実施形態〉
なお、以上の実施形態においては、入力信号を記録中にはファン１８０に断続的に電力供給を行うように駆動していたが、記録装置１００と別室にマイクロホンを設置する場合には、記録中であってもファン１８０を連続駆動しても問題ない。そのため、モード設定などに応じて間欠駆動を実行するか否かを切り替えるようにしてもよい。
【実施例】
【００７７】
以下、上述した記録装置１００について具体的実験を行った結果を実施例として以下に説明する。
測定共通条件：
定格１２Ｖで約５０００ｒｐｍのブラシレスＤＣモータを備えた直径４０mmのファンを、フォステクスＤＶＤマルチトラックレコーダＤＶ８２４（消費電力５４Ｗ）に搭載し、室温２５℃・湿度２０％の密閉された室内環境（無風状態）にて、８トラック全てを記録状態にして測定を実行した。
【００７８】
（１）温度変化：
記録装置１００を電源オン後に記録動作させ、１２０分後に、ファンモータに対する電源非供給、電源供給（１２Ｖ連続）、電源供給（１０Ｖ連続）、電源供給（１２Ｖ間欠）、の各状態で、機器内部の電源部の周辺温度を測定した。
【００７９】
（１-1）電源非供給：５５℃（但し、その後も徐々に上昇）、
（１-2）１２Ｖ連続供給：３９℃、
（１-3）１０Ｖ連続供給：４１℃、
（１-4）１２Ｖ間欠供給：４４℃、
ここで、電源非供給時に対して、１２Ｖ連続供給、１０Ｖ連続供給、１２Ｖ間欠供給の全てで、１０℃以上の低下の効果が得られている。電子部品の中でも熱による影響を最も受けやすい電解コンデンサなどでも、１２Ｖ間欠供給であっても、１２Ｖ・１０Ｖ連続供給と同様に、電源非供給に比べて部品寿命を２倍に伸ばせることになり、十分であることが検証された。
【００８０】
（２）騒音（音圧レベル）：
記録装置１００を電源オンした状態でファンをオフした状態を０ｄＢとして基準として、そのオフ状態からの相対レベルとして測定した。
【００８１】
なお、騒音レベルの測定位置は、
距離：ファンモータ搭載位置から約１０cm、
位置：搭載機器の側面（ファンモータからの風がマイクに直接当らない位置）、
とした。
【００８２】
（２-1）電源非供給：０ｄＢ、
（２-2）１２Ｖ連続供給：＋１２ｄＢ、
（２-3）１０Ｖ連続供給：＋９ｄＢ、
（２-4）１２Ｖ間欠供給：＋６ｄＢ〜＋７ｄＢ、
ここで、１２Ｖ連続供給時に比較して、１２Ｖ間欠供給時では、約６ｄＢ減衰している。倍率にすると音圧は１／２になる。これを、距離に置き換えると、例えば録音現場で録音機器からのノイズを集音マイクが拾わないようにする間隔に、連続供給時には１０ｍ必要だった場合が、半分の５ｍで済む計算になる。１０Ｖ連続供給時と比較しても約２／３で済むようになる。
【００８３】
（３）回転数変化：
ファンの回転数、および、その回転数においてファンから発生する騒音のピーク成分の周波数を測定した。
【００８４】
（３-1）１２Ｖ連続供給：５０９７rpm／３３４Ｈｚ、
（３-2）１０Ｖ連続供給：４２６１rpm／２８４Ｈｚ、
（３-3a）１２Ｖ間欠供給（供給直後）：２４４２rpm／１６３Ｈｚ、
（３-3b）１２Ｖ間欠供給（遮断直前）：３２９４rpm／２２０Ｈｚ、
（３-3c）１２Ｖ間欠供給（供給直前）：２３４８rpm／１５７Ｈｚ、
１２Ｖ間欠供給時の回転数のピークは他の二つ条件と比較して下回っている。このことからも騒音が減少していることがわかる。ちなみに、２００Ｈｚ以上になると耳障りな音として認識される場合があるとの意見も存在している。
【００８５】
（４）考察：
以上のように、電力供給と電力非供給との切り換えによるファンの間欠駆動によると、十分な放熱効果を得つつ、騒音を低下させることが可能であり、電源連続供給時よりも優れた結果を得ることができた。
【００８６】
なお、別途実験したところ、１２Ｖ定格のファンモータに対して６Ｖ〜７Ｖ程度の電圧を供給することで、以上の１２Ｖ間欠供給と同様に騒音を低下させることが可能であることが判明したが、その場合にはファンモータの個体差によって回転が安定せずに、停止してしまうことが確認された。また、このように１２Ｖ定格の装置で６Ｖ程度の電圧を生成するためには、出力電圧が広範囲な電圧制御回路が必要にもなり、回路構成が複雑化する。このため、単純な電圧制御では望ましい結果が得られないことが判明した。
【図面の簡単な説明】
【００８７】
【図１】本発明の第一の実施形態の記録装置の構成を示す構成図である。
【図２】本発明の第一の実施形態の記録装置の動作を示すフローチャートである。
【図３】本発明の第一の実施形態の記録装置の動作を示すタイミングチャートである。
【図４】本発明の第一の実施形態の記録装置の動作を示すタイミングチャートである。
【符号の説明】
【００８８】
１００  記録装置
１０１  制御部
１１０  電源部
１２０  インタフェース
１３０  記録再生回路部
１４０  記録媒体
１５０  インタフェース
１６０  スイッチング部
１７０  ファンモータ
１８０  ファン
【図１】
2006252629.tif 000003
【図２】
2006252629.tif 000004
【図３】
2006252629.tif 000005
【図４】
2006252629.tif 000006